(57)【要約】    【課題】  ユーザ端末にユーザの興味を引く広告を表示させることができるコンテンツデータ管理サービスシステム、サーバコンピュータ、制御方法及びプログラムを提供する。    【解決手段】  コンテンツデータ管理サービスシステム１９は、ユーザＰＣ２Ａ，２Ｂと、コンテンツサイト１０と、プリントサイト１４Ａ，１４Ｂ，１４Ｃとを備え、これらはインターネット１を介して互いに接続されている。コンテンツサイト１０は、コンテンツデータを格納するコンテンツデータベース５と、コンテンツデータの作成手段である製品名を取得するコンテンツシェアリングモジュール６と、広告表示を行うための広告情報等を管理する情報データベース９とを備える。コンテンツシェアリングモジュール６は、取得した製品名が広告情報テーブル１５０にあるときは、取得した製品名に対応する広告情報を取得する。【選択図】      図１４
2006091525.tif 000002
【特許請求の範囲】
【請求項１】
ネットワークを介して互いに接続されたサーバコンピュータ及び複数の端末を備え、前記複数の端末の各々は、表示器と、前記ネットワークを介して前記サーバコンピュータに、作成手段によって作成されたコンテンツデータを転送する転送手段とを備えるコンテンツデータ管理サービスシステムにおいて、
前記コンテンツデータを作成した作成手段に関する情報を取得する作成手段情報取得手段と、
広告情報を格納する広告情報格納手段と、
前記取得された情報が前記格納された広告情報に対応するときは、前記対応する広告情報を取得する広告情報取得手段とを備え、
前記複数の端末のうち少なくとも１つの表示器に、前記転送されたコンテンツデータと前記取得された広告情報とを表示させるための情報を作成することを特徴とするコンテンツデータ管理サービスシステム。
【請求項２】
前記作成手段情報取得手段は、前記情報を取得できないときは、前記コンテンツデータを転送した端末によって登録された情報を取得することを特徴とする請求項１記載のコンテンツデータ管理サービスシステム。
【請求項３】
前記広告情報取得手段は、前記作成手段情報取得手段が取得した情報が、前記作成手段のうち前記システムのサービス対象外のものに関する情報のときは、前記作成手段のうち前記システムのサービス対象のものに関する情報に対応する広告情報を取得する対象作成手段取得手段を備えることを特徴とする請求項１又は２記載のコンテンツデータ管理サービスシステム。
【請求項４】
前記広告情報取得手段は、前記作成手段情報取得手段が取得した情報が、前記作成手段のうち海外のものに関する情報のときは、前記作成手段のうち国内のものに関する情報に対応する広告情報を取得する国内作成手段取得手段を備えることを特徴とする請求項１乃至３のいずれか１項に記載のコンテンツデータ管理サービスシステム。
【請求項５】
前記広告情報取得手段は、前記作成手段情報取得手段が取得した情報が、前記格納された広告情報より古いときは、前記作成手段の後継機種となる作成手段に関する情報に対応する広告情報を取得する新作成手段取得手段を備えることを特徴とする請求項１乃至４のいずれか１項に記載のコンテンツデータ管理サービスシステム。
【請求項６】
前記広告情報取得手段は、前記作成手段情報取得手段が取得した情報が、前記格納された広告情報に対応しないときは、前記取得した情報に基づき前記作成手段の性能又は価格帯を類推すると共に、前記類推された性能又は価格帯に対応する広告情報を取得する類推対応広告情報取得手段を備えることを特徴とする請求項１乃至５のいずれか１項に記載のコンテンツデータ管理サービスシステム。
【請求項７】
前記広告情報取得手段は、前記広告情報を取得できないときは、前記格納された広告情報からランダムに広告情報を取得することを特徴とする請求項１乃至６のいずれか１項に記載のコンテンツデータ管理サービスシステム。
【請求項８】
前記広告情報取得手段は、前記広告情報を取得できないとき、前記格納された広告情報から所定の広告情報を取得することを特徴とする請求項１乃至６のいずれか１項に記載のコンテンツデータ管理サービスシステム。
【請求項９】
前記広告情報取得手段が取得した広告情報を前記許可された端末の表示器の一部に表示させるか否かを設定する広告情報表示設定手段を備えることを特徴とする請求項１乃至８のいずれか１項に記載のコンテンツデータ管理サービスシステム。
【請求項１０】
前記格納された広告情報は、商品に関する情報及び商品販売に関する情報の少なくとも１つを含むことを特徴とする請求項１乃至９のいずれか１項に記載のコンテンツデータ管理サービスシステム。
【請求項１１】
前記コンテンツデータは、静止画及び動画データのいずれかであることを特徴とする請求項１乃至１０のいずれか１項に記載のコンテンツデータ管理サービスシステム。
【請求項１２】
ネットワークを介して複数の端末と互いに接続されたサーバコンピュータであって、
広告情報と作成手段に関する作成手段情報とを対応付けて格納する広告情報格納手段と、
前記複数の端末の各々から、作成手段によって作成されたコンテンツデータを受信する受信手段と、
前記受信したコンテンツデータを作成した作成手段に関する作成手段情報を取得する作成手段情報取得手段と、
前記取得された前記作成手段情報と対応する広告情報が格納されているかどうか判定する判定手段と、
前記判定結果に応じて、前記広告情報を取得する広告情報取得手段と、
前記複数の端末の他の少なくとも１つの表示器に、前記受信したコンテンツデータと前記取得した広告情報とを合わせて表示させるための表示情報を作成する作成手段と、
前記作成した表示情報を前記複数の端末の他の少なくとも１つへ送信する送信手段とを備えたことを特徴とするサーバコンピュータ。
【請求項１３】
ネットワークを介して複数の端末と互いに接続されたサーバコンピュータの制御方法であって、
広告情報と作成手段に関する作成手段情報とを対応付けて格納するステップと、
前記複数の端末の各々から、作成手段によって作成されたコンテンツデータを受信するステップと、
前記受信したコンテンツデータを作成した作成手段に関する作成手段情報を取得するステップと、
前記取得された前記作成手段情報と対応する広告情報が格納されているかどうか判定するステップと、
前記判定結果に応じて、前記広告情報を取得するステップと、
前記複数の端末の他の少なくとも１つの表示器に、前記受信したコンテンツデータと前記取得した広告情報とを合わせて表示させるための表示情報を作成するステップと、
前記作成した表示情報を前記複数の端末の他の少なくとも１つへ送信するステップとを備えたことを特徴とする制御方法。
【請求項１４】
請求項１３に記載の制御方法をコンピュータ装置に実施させるためのプログラム。
【発明の詳細な説明】
【技術分野】
【０００１】
本発明は、コンテンツデータ管理サービスシステム、サーバコンピュータ、制御方法及びプログラムに関する。
【背景技術】
【０００２】
従来のコンテンツデータ管理サービスシステムは、ネットワークを介して互いに接続されたユーザ用パーソナルコンピュータ（以下「ユーザＰＣ」という）及びサーバコンピュータから成り、ユーザＰＣが送信したコンテンツデータをネットワークを介してサーバコンピュータで管理するシステムであり、ユーザがユーザ登録を必要とするサービスを行うものと必要としないサービスを行うものとがある。ユーザ登録を必要とするサービスを行うシステムは、一般的に、ユーザ登録されたユーザの端末に、ユーザ登録の登録内容に関係する広告や情報を表示させており、ユーザ登録を必要としないサービスを行うシステムは、ユーザが特定できないので、ユーザのユーザ端末に、ランダムに選択された広告や情報を表示させたり、ユーザが入力した検索キー等の入力情報に基づいて選択された広告や情報を表示させている（例えば、特許文献１参照）。
【０００３】
図３０は、コンテンツデータ管理サービスシステムのユーザＰＣにおけるブラウザを説明するのに用いられる図である。
【０００４】
コンテンツデータ管理システムが行うサービスとしては、例えば、フォトサイトサービスがあり、このフォトサイトサービスは、ユーザによってネットワークを介して転送されたコンテンツデータである静止画又は動画データをサーバコンピュータに保管して、保管された静止画又は動画データの閲覧を許可された不特定の閲覧ユーザにネットワークを介して閲覧させる。
【０００５】
図３０のブラウザ３００は、フォトサイトサービスにユーザ登録を行っているユーザによって閲覧を許可された閲覧ユーザがネットワークを介して参照しているときの表示例である。
【０００６】
図３０において、ブラウザ３００は、閲覧ユーザに対して提供するサービスを操作する操作ボタン３０１，３０２，３０３，３０４と、閲覧を許可したユーザがサーバコンピュータに転送して保管したコンテンツデータ（静止画）３０５と、フォトサイトサービスがランダムに選択した広告３０６とを表示する。
【特許文献１】特開２００３−２４２４０３号公報
【発明の開示】
【発明が解決しようとする課題】
【０００７】
しかしながら、コンテンツデータ３０５と広告３０６との間に何の関連もないので、広告３０６は、閲覧ユーザの興味を引くことができない。
【０００８】
本発明の目的は、ユーザ端末にユーザの興味を引く広告を表示させることができるコンテンツデータ管理サービスシステム、サーバコンピュータ、制御方法及びプログラムを提供することにある。
【課題を解決するための手段】
【０００９】
上記目的を達成するために、請求項１記載のコンテンツデータ管理サービスシステムは、ネットワークを介して互いに接続されたサーバコンピュータ及び複数の端末を備え、前記複数の端末の各々は、表示器と、前記ネットワークを介して前記サーバコンピュータに、作成手段によって作成されたコンテンツデータを転送する転送手段とを備えるコンテンツデータ管理サービスシステムにおいて、前記コンテンツデータを作成した作成手段に関する情報を取得する作成手段情報取得手段と、広告情報を格納する広告情報格納手段と、前記取得された情報が前記格納された広告情報に対応するときは、前記対応する広告情報を取得する広告情報取得手段とを備え、前記複数の端末のうち少なくとも１つの表示器に、前記転送されたコンテンツデータと前記取得された広告情報とを表示させるための情報を作成することを特徴とする。
【発明の効果】
【００１０】
本発明によれば、転送されたコンテンツデータを作成した作成手段に関する情報を取得し、広告情報を格納し、取得された情報が格納された広告情報に対応するときは、対応する広告情報を取得し、複数の端末のうち少なくとも１つの表示器に、転送されたコンテンツデータと、取得された広告情報とを表示させるための情報を作成するので、ユーザの端末にユーザの興味を引く広告を表示させることができる。
【発明を実施するための最良の形態】
【００１１】
以下、本発明の実施の形態を図面を用いて詳述する。
【００１２】
図１は、本発明の実施の形態に係るコンテンツデータ管理サービスシステムの構成を概略的に示すブロック図である。
【００１３】
図１において、コンテンツデータ管理サービスシステム１９は、後述する図２のブラウザ２０を有するユーザ用パーソナルコンピュータ（以下「ユーザＰＣ」という）２Ａ，２Ｂ（転送手段、参照手段）と、コンテンツサイト１０（サーバコンピュータ）と、プリントサービス提供者（以下「プリントサイト」という））１４Ａ，１４Ｂ，１４Ｃとを備え、これらはインターネット１を介して互いに接続されている。
【００１４】
コンテンツデータ管理サービスシステム１９は、また、インターネット１に、夫々、インターネット接続ゲートウェイ１８Ａ，１８Ｂを介して第１モバイルネットワーク１７Ａ，１７Ｂと、ユーザＰＣ２Ａにコンテンツデータ転送用インターフェース４を介して接続されたコンテンツ入力装置３とを備える。
【００１５】
第１モバイルネットワーク１７Ａ，１７Ｂには、携帯端末１６Ａ，１６Ｂが夫々接続されており、プリントサイト１４Ａ，１４Ｂ，１４Ｃには、プリンタ１１Ａ，１１Ｂ，１１Ｃが夫々接続されている。
【００１６】
コンテンツサイト１０は、コンテンツデータを格納するコンテンツデータベース５と、コンテンツデータベース５に接続され、コンテンツデータを転送するコンテンツデータ転送処理（図５）、ユーザに閲覧の許可を通知する閲覧許可通知処理（図１１）及びコンテンツデータを閲覧するコンテンツデータ閲覧処理（図１２）を実行するコンテンツシェアリングモジュール６と、決済モジュール７と、第１課金モジュール８と、コンテンツデータの属性情報、コンテンツサイト１０に登録されているユーザ属性情報、転送されたコンテンツデータのプリントアウトを依頼するプリントサービス提供者（以下「プリントサイト」という）の属性情報、及び広告表示を行うための広告情報等を管理する情報データベース９とを備える。
【００１７】
プリントサイト１４Ａは、データベース１２Ａ及び第２課金モジュール１３Ａから成り、プリントサイト１４Ｂは、データベース１２Ｂ及び第２課金モジュール１３Ｂから成り、プリントサイト１４Ｃは、データベース１２Ｃ及び第２課金モジュール１３Ｃから成る。
【００１８】
第１モバイルネットワーク１７Ａ，１７Ｂには、携帯端末１６Ａ，１６Ｂが夫々接続される。
【００１９】
コンテンツ入力装置３は、静止画を撮影すると共に画像データとして記録するデジタルスチルカメラ及び動画を撮影すると共に動画データとして記録するデジタルビデオカメラ等であり、光学像を電気信号に変換すると共に所定の処理を施し、当該光学像をデジタル情報のコンテンツデータとして記録及び再生する。
【００２０】
コンテンツデータ転送用インターフェース４は、ＵＳＢ及びＩＥＥＥ１３９４に代表される有線インターフェース又はＩｒＤＡ及びＢｌｕｅｔｏｏｔｈに代表される無線インターフェースであり、コンテンツ入力装置３に記録されたデータをユーザＰＣ２Ａに転送するインターフェースである。
【００２１】
ユーザＰＣ２Ａ，２Ｂは、インターネット１における情報転送が可能なｈｔｔｐ等の標準プロトコルを有すブラウザ２０を備え、ブラウザ２０は、標準プロトコルを用いてコンテンツサイト１０にアクセスし、コンテンツサイト１０が備えるサーバＰＣ（不図示）が管理するＨＴＭＬ及びＸＭＬ等の記述言語で作成されたコンテンツデータ等にリンクされている情報を表示する。これにより、ユーザＰＣ２Ａ，２Ｂは、インターネット１を介してコンテンツサイト５が提供するサービスを利用することができる。
【００２２】
ユーザＰＣ２Ａは、コンテンツ入力装置３に、コンテンツ入力装置３によって記録されたコンテンツデータをコンテンツデータ転送用インターフェース４を介してユーザＰＣ２Ａが備えるハードディスク等の情報記憶装置（不図示）の記憶領域に転送させる。
【００２３】
ユーザＰＣ２Ａへのコンテンツデータの転送には、ユーザＰＣ２ＡにインストールされているＯＳ又は専用のソフトウェアが、コンテンツ入力装置３にコマンドを送出して、コンテンツ入力装置３の情報記憶装置に格納されているコンテンツデータを一括転送させる場合と、コンテンツ入力装置３が、ユーザＰＣ２Ａに転送コマンドを送出して、ユーザＰＣ２ＡにインストールされているのＯＳ又は専用ソフトウェアにユーザＰＣ２Ａの情報記憶部にデータ記憶領域を確保させて、コンテンツ入力装置３の情報記憶装置に格納されているコンテンツデータを転送する場合とがある。
【００２４】
ユーザＰＣ２Ａは、また、ユーザＰＣ２Ａの情報記憶領域に転送されたコンテンツデータの中から、ユーザＰＣ２Ａのユーザによって選択されると共にコンテンツサイト１０への転送を要求されたものを、コンテンツサイト１０に転送したり、ユーザＰＣ２Ａのユーザによってコンテンツデータ転送専用のソフトウェア上で選択されたものを、直接コンテンツサイト１０に転送する。いずれの場合も、インターネット１における情報転送が可能なｈｔｔｐ及びｆｔｐ等の標準プロトコルを用いて転送する。
【００２５】
図２は、図１におけるユーザＰＣ２Ａのブラウザ２０を説明するのに用いられる図である。
【００２６】
図２において、ブラウザ２０が示すユーザ登録画面は、ユーザの氏名及び住所等の情報を入力する領域であるユーザ情報入力領域２１と、ユーザ登録を行う登録ボタン２２と、ユーザ登録を中止する中止ボタン２３と、ユーザが所持する製品を入力する領域であり、複数の製品を入力することができる製品情報入力領域２４とを備える。
【００２７】
コンテンツシェアリングモジュール６は、登録ボタン２２が押下されると、ユーザ情報入力領域２１に入力されたユーザ情報を確認の後、入力されたユーザ情報をユーザテーブル３０（図３）に登録すると共に、情報データベース９に格納し、コンテンツデータ管理サービスシステム１９内で登録を行ったユーザのユーザ情報を識別するために使用するユニークなユーザ識別ＩＤを発行する。
【００２８】
コンテンツシェアリングモジュール６は、また、ユーザが所持する製品についても、ユーザ所持製品テーブル４０（図４）を登録を行う製品の個数分設定し、情報データベース９に格納する。
【００２９】
コンテンツシェアリングモジュール６は、さらに、登録を行ったユーザ情報をユーザが修正することも可能にしており、ユーザ所持製品テーブル４０は、必要に応じて修正、追加、及び削除される。
【００３０】
図５は、図１におけるコンテンツシェアリングモジュール６によって実行されるコンテンツデータ転送処理の手順を示すフローチャートである。
【００３１】
図５において、コンテンツシェアリングモジュール６は、転送されたコンテンツデータが、コンテンツサイト１０において使用可能であるか否かを判別し（ステップＳ５１）、使用可能でないときは、直ちに本処理を終了し、使用可能であるときは、コンテンツデータ管理サービスシステム１９内でユニークなコンテンツ識別ＩＤを発行し（ステップＳ５２）、後述する図９のコンテンツ作成手段取得処理を実行して転送されたコンテンツデータの作成手段を取得し（ステップＳ５３）、転送されたコンテンツデータと発行されたコンテンツ識別ＩＤとを関連付けてコンテンツデータベース５に格納すると共に、転送されたコンテンツデータの属性情報等と発行されたコンテンツ識別ＩＤとを関連付けて情報データベース９に格納し（ステップＳ５４）、コンテンツデータが正常に転送されたことをユーザＰＣ２Ａに通知して（ステップＳ５５）、本処理を終了する。
【００３２】
ステップＳ５４の処理において、転送されたコンテンツデータを複数まとめて１つの単位とし、これをフォルダとして管理することもある。
【００３３】
また、ステップＳ５４の処理において、コンテンツシェアリングモジュール６は、転送されたコンテンツデータを個別に直接管理するときは、ユーザ識別ＩＤ６１及びコンテンツ識別ＩＤ６２から成るユーザコンテンツ管理テーブル６０（図６）を、転送されたコンテンツデータを複数まとめたアルバムごとに管理するときは、ユーザ識別ＩＤ７１及びアルバム識別ＩＤ７２から成るユーザアルバム管理テーブル７０（図７）並びにアルバム識別ＩＤ８１及びコンテンツ識別ＩＤ８２から成るアルバム管理テーブル８０（図８）を用いて、ユーザとコンテンツとを関連付け、これらのテーブルを情報データベース９に格納する。
【００３４】
図９は、図５のステップＳ５３で実行されるコンテンツ作成手段取得処理の手順を示すフローチャートである。
【００３５】
図９において、コンテンツシェアリングモジュール６は、転送されたコンテンツデータとその属性情報等とを夫々コンテンツデータベース５と情報データベース９とに格納するときに、格納するコンテンツデータのＥｘｉｆ（Exchangeable Image File Format）を解析し（ステップＳ９１）、解析結果からコンテンツデータを作成した作成手段、例えばコンテンツデータの作成に用いられた装置の製品名を抽出できるか否かを判別し（ステップＳ９２）、製品名を抽出できないときは直ちに本処理を終了し、製品名を抽出できるときは、抽出した製品名とコンテンツ識別ＩＤとを作成手段テーブル１００（図１０）に設定し（ステップＳ９３）、情報データベース９に格納して終了する。
【００３６】
ステップＳ９１において、コンテンツシェアリングモジュール６は、Ｅｘｉｆを解析しているが、解析する対象はＥｘｉｆに限らず、コンテンツデータに応じて変わることは言うまでもない。また、ステップＳ９２において、コンテンツシェアリングモジュール６は、作成手段として製品名を抽出できるか否かを判別しているが、製品名に限らず、製品コード等コンテンツデータの作成手段が特定できる情報であれば何でもよいことは言うまでもない。
【００３７】
図１１は、不図示であるが、登録ユーザが、先に説明したコンテンツデータ転送処理によって、コンテンツサイト１０にアップロードして格納したコンテンツの一覧から、閲覧を許可するコンテンツを選択して、閲覧許可通知を行った際の、閲覧許可通知処理の図１におけるコンテンツシェアリングモジュール６による手順を示すフローチャートである。
【００３８】
図１１において、コンテンツシェアリングモジュール６は、ユーザＰＣ２Ａからブラウザ２０を介して転送されたコンテンツデータの閲覧を許可するユーザの（以下「閲覧ユーザ」という）の氏名等の属性情報及びＥ−ｍａｉｌアドレスが通知され（ステップＳ１１１）、コンテンツデータの公開に必要なユニークなアドレスＵＲＬ（Universal Resource Locator）、例えばhttp://○○○.com/ContentsSite/Entry.cgi?FolderID=AJNWDMFのように、一意に予測不可能な乱数等を用いたＵＲＬ（以下「ランダムＵＲＬ」という）を生成し（ステップＳ１１２）、生成されたランダムＵＲＬに必要に応じて閲覧に必要なパスワード情報を付加した閲覧許可通知を、インターネット１を介して閲覧ユーザのユーザＰＣ２ＢにＥ−ｍａｉｌで送信して（ステップＳ１１３）、本処理を終了する。
【００３９】
なお、コンテンツデータの公開に必要なユニークなランダムＵＲＬは、コンテンツデータを個別に直接管理するときは、コンテンツ識別ＩＤ６２、コンテンツデータを複数まとめたアルバムごとに管理するときは、アルバム識別ＩＤ８１と関連付けられている。
【００４０】
図１１の処理によれば、閲覧ユーザは、ユーザＰＣ２Ｂのブラウザ２０にＥ−ｍａｉｌで通知されたランダムＵＲＬを入力することによって、インターネット１を介してコンテンツデータを転送したユーザが指定したコンテンツデータ又はフォルダを閲覧することができる。
【００４１】
ステップＳ１１３において、コンテンツシェアリングモジュール６は、コンテンツデータを転送したユーザが指定する携帯端末１６Ａ，１６Ｂに閲覧許可通知を送信してもよい。これにより、携帯端末１３Ａ，１３Ｂのユーザも、インターネット１を介してコンテンツデータを転送したユーザが指定したコンテンツデータ又はフォルダを閲覧することができる。
【００４２】
本実施の形態におけるコンテンツデータ管理サービスシステム１９によって実現されるサービスは、コンテンツデータを転送したユーザ及びコンテンツデータ又はフォルダの閲覧許可通知を受信したユーザがプリント注文等、上記説明以外のサービスを受けることができるのは言うまでもない。
【００４３】
図１２は、図１におけるコンテンツシェアリングモジュール６によって実行されるコンテンツデータ閲覧処理の手順を示すフローチャートである。
【００４４】
図１２において、コンテンツシェアリングモジュール６は、転送されたコンテンツデータが個別に直接管理されているか否かを判別し（ステップＳ１２１）、直接管理されているときは、後述する図１３のコンテンツ閲覧広告情報取得処理を実行して広告情報を取得し（ステップＳ１２２）、広告情報を取得できたか否かを判別し（ステップＳ１２３）、広告情報を取得できなかったときは、ユーザコンテンツ管理テーブル６０を用いて閲覧を行うコンテンツデータのユーザ識別ＩＤを取得し（ステップＳ１２４）、後述する図２５のユーザ所持製品からの広告情報取得処理を実行して広告情報を取得し（ステップＳ１２５）、後述する図２９の広告情報表示制御処理を実行して広告の表示を制御（ステップＳ１２９）する。
【００４５】
ステップＳ１２１の判別の結果、個別に直接管理されず、アルバムごとに管理されているときは、後述する図２４の閲覧広告情報取得処理を実行して広告情報を取得し（ステップＳ１２６）、広告情報を取得できたか否かを判別し（ステップＳ１２７）、広告情報を１つも取得できなかったときは、ユーザアルバム管理テーブル７０及びアルバム管理テーブル８０を用いて閲覧を行うコンテンツデータのユーザ識別ＩＤを取得し（ステップＳ１２８）、ステップＳ１２５及びステップＳ１２９の処理を実行する。
【００４６】
ステップＳ１２３又はステップＳ１２７の判別の結果、広告情報を取得できたときは、ステップＳ１２９の処理を実行する。
【００４７】
そして、ステップＳ１２９で広告情報表示制御処理を行った後、ステップＳ１２９で制御した広告表示情報と、閲覧の要求されたコンテンツデータとを元に、ユーザＰＣ２Ｂが備えるブラウザ２０に、閲覧の要求されたコンテンツデータと取得された広告情報とを図１６に示すように表示するための表示データを作成してユーザ端末へ送信し、本処理を終了する。ユーザ端末の表示器には、閲覧要求したコンテンツデータと、広告情報とが合わせて表示される。
【００４８】
図１３は、図１２のステップＳ１２２で実行されるコンテンツ閲覧広告情報取得処理の手順を示すフローチャートである。
【００４９】
図１３において、コンテンツシェアリングモジュール６は、情報データベース９に格納されたコンテンツ識別ＩＤに対応する作成手段テーブル１００を情報データベース９から取得し（ステップＳ１３１）、取得された作成手段テーブル１００から作成手段である製品名を取得し（ステップＳ１３２）、後述する図１４の広告情報取得処理を実行して広告情報を取得して（ステップＳ１３３）、本処理を終了する。
【００５０】
図１４は、図１３のステップＳ１３３で実行される広告情報取得処理の手順を示すフローチャートである。
【００５１】
図１４において、コンテンツシェアリングモジュール６は、後述する図１７の対象作成手段取得処理を実行して、取得した製品名が対象外であった場合にこの製品名に対応する作成手段を取得し（ステップＳ１４１）、後述する図１９の国内作成手段取得処理を実行して取得した製品名が海外のものであった場合にこの製品名に対応する国内の作成手段を取得し（ステップＳ１４２）、後述する図２１の新作成手段取得処理を実行して、取得した製品名が古いものであった場合にこの製品名に対応する新作成手段を取得し（ステップＳ１４３）、取得した製品名が広告情報テーブル１５０（図１５）にあるか否かを判別し（ステップＳ１４４）、広告情報テーブル１５０にあるときは、取得した製品名に対応する広告情報を取得し（ステップＳ１４５）、本処理を終了する。なお、広告情報管理テーブル１５０には、作成手段１５１、製品名１５２、広告画像ＵＲＬ１５３と広告ＵＲＬが対応付けて格納されている。
【００５２】
ステップＳ１４４の判別の結果、広告情報テーブル１５０にないときは、後述する図２３の類推対応広告情報取得処理を実行して類推される広告情報を取得するか、又は広告情報としてＮＵＬＬを返して（ステップＳ１４６）、本処理を終了する。
【００５３】
図１４の処理によれば、コンテンツシェアリングモジュール６は、取得した製品名が広告情報テーブル１５０（図１５）にあるときは（ステップＳ１４４でＹＥＳ）、取得した製品名に対応する広告情報を取得する（ステップＳ１４５）ので、取得した広告情報の示す製品名１５２、広告画像ＵＲＬ１５３、及び広告ＵＲＬ１５４を使用して、ユーザＰＣ２Ｂが備えるブラウザ２０に広告１６６（図１６）を表示させることができる。
【００５４】
ステップＳ１４５において、コンテンツシェアリングモジュール６は、作成手段として製品名を用いて広告情報を取得したが、これは、図９のステップＳ９３で作成手段テーブルに保存された情報の形式と同じであることは言うまでもなく、また、広告情報は運用により情報データベース９に随時最新の状態に更新できることは言うまでもない。
【００５５】
図１７は、図１４のステップＳ１４１で実行される対象作成手段取得処理の手順を示すフローチャートである。
【００５６】
図１７において、コンテンツシェアリングモジュール６は、対象外の作成手段である対象外作成手段１８２と、対象外作成手段１８２に対応する対象作成手段１８１とから成り、対象外の作成手段と対象の作成手段との対応を示す対象外作成手段定義テーブルの対象外作成手段に、取得した製品名に対応する作成手段があるか否かを判別し（ステップＳ１７１）、対応する対象外作成手段１８２があるときは、取得した製品名に対応する作成手段を、対象作成手段１８１に置き換え（ステップＳ１７２）、ステップＳ１７１の処理に戻る。
【００５７】
ステップＳ１７１の判別の結果、対応する対象外作成手段１８２がないときは、直ちに本処理を終了する。
【００５８】
図１７の処理によれば、コンテンツシェアリングモジュール６は、取得した製品名に対応する作成手段があるときは（ステップＳ１７１でＹＥＳ）、取得した製品名に対応する作成手段を、対象作成手段１８１に置き換える（ステップＳ１７２）ので、閲覧コンテンツデータの作成手段又はユーザＰＣ２Ａのユーザの所持する製品が対象外の製品、例えば他社製品の場合でも、対応製品、例えば対応する自社製品の広告を表示させることができる。
【００５９】
対象外作成手段定義は、運用により、情報データベース９に随時最新の状態に更新できることは言うまでもない。
【００６０】
図１７の処理において、コンテンツシェアリングモジュール６は、広告１６６のガイダンス１６７を調整するための広告配列状態フラグを設定することによって、広告１６６のガイダンス１６７を、例えば「このアルバムに使われている写真を撮ったカメラと同性能の機種は…」に変更することができる。
【００６１】
図１９は、図１４のステップＳ１４２で実行される国内作成手段取得処理の手順を示すフローチャートである。
【００６２】
図１９において、コンテンツシェアリングモジュール６は、海外の作成手段である海外作成手段２０２と、海外作成手段２０２に対応する国内作成手段２０１とから成り、国内の作成手段と海外の作成手段との対応を示す海外作成手段定義テーブルの海外作成手段２０２に、取得した製品名に対応する作成手段があるか否かを判別し（ステップＳ１９１）、対応する海外作成手段２０２があるときは、取得した製品名に対応する作成手段を、国内作成手段２０１に置き換え（ステップＳ１９２）、ステップＳ１９１の処理に戻る。
【００６３】
ステップＳ１９１の判別の結果、対応する海外作成手段２０２がないときは、直ちに本処理を終了する。
【００６４】
図１９の処理によれば、取得した製品名に対応する作成手段があるときは（ステップＳ１９１でＹＥＳ）、取得した製品名に対応する作成手段を、国内作成手段２０１に置き換える（ステップＳ１９２）ので、コンテンツシェアリングモジュール６は、閲覧されるコンテンツデータ又は閲覧が許可されたユーザの所持する製品が海外用の製品のときでも、この製品に対応する国内用の製品の広告を表示させることができる。
【００６５】
海外作成手段定義は、運用により情報データベース９に随時最新の状態に更新できることは言うまでもない。
【００６６】
図１９の処理において、コンテンツシェアリングモジュール６は、広告１６６のガイダンス１６７を調整するための広告配列状態フラグを設定することによって、広告１６６のガイダンス１６７を、例えば「このアルバムに使われている写真を撮ったカメラの国内機種は…」に変更することができる。
【００６７】
図２１は、図１４のステップＳ１４３の新作成手段取得処理の手順を示すフローチャートである。
【００６８】
図２１において、コンテンツシェアリングモジュール６は、古い作成手段である旧作成手段２２２と旧作成手段２２２に対応する新作成手段２２１とから成り、新作成手段と旧作成手段との対応を示す新旧作成手段定義テーブルの旧作成手段２２２に、取得した製品名に対応する作成手段があるか否かを判別し（ステップＳ２１１）、対応する旧作成手段２２２があるときは、取得した製品名に対応する作成手段を、新作成手段２２１に置き換え（ステップＳ２１２）、ステップＳ２１１に戻る。
【００６９】
ステップＳ２１１の判別の結果、対応する旧作成手段２２２がないときは、直ちに本処理を終了する。これにより、ステップＳ２１２からステップＳ２１１に戻るので、コンテンツシェアリングモジュール６は、新作成手段の登録を行ったときに、既存の新旧作成手段の構成を修正せずに、登録を行った作成手段の直前の作成手段のみを旧作成手段とすることできる。
【００７０】
図２１の処理によれば、コンテンツシェアリングモジュール６は、取得した製品名に対応する作成手段があるかときは（ステップＳ２１１でＹＥＳ）、取得した製品名に対応する作成手段を、新作成手段２２１に置き換える（ステップＳ２１２）ので、閲覧されるコンテンツデータ又は閲覧が許可されたユーザの所持する製品が古い場合でも、最新の対応する広告を表示させることができる。
【００７１】
新旧作成手段定義は、運用により情報データベース９に随時最新の状態に更新できることは言うまでもない。
【００７２】
図２１の処理において、コンテンツシェアリングモジュール６は、広告１６６のガイダンス１６７を調整するための広告配信状態フラグを設定することによって、広告１６６のガイダンス１６７を、例えば「このアルバムに使われている写真を撮ったカメラの最新機種は…」に変更することができる。
【００７３】
図２３は、図１４のステップＳ１４６の類推対応広告情報取得処理の手順を示すフローチャートである。
【００７４】
図２３において、コンテンツシェアリングモジュール６は、コンテンツ識別ＩＤの示すコンテンツデータをコンテンツデータベース５から取得し（ステップＳ２３１）、取得したコンテンツデータからコンテンツデータ作成手段の性能又は価格を取得し（ステップＳ２３２）、取得したコンテンツデータ作成手段の性能又は価格を使用して、コンテンツデータ管理サービスシステム１９が持つ作成手段に対応する作成手段を類推する（ステップＳ２３３）。
【００７５】
本実施の形態では、コンテンツシェアリングモジュール６は、コンテンツデータから画素数、撮影情報及びレンズ情報を取得し、例えば、画像サイズが一定画素以上あれば、レンズ一体型のカメラのものではないと判断でき、シャッタースピードと絞りからレンズ一体型のカメラで使用されているものではないと判断でき、レンズ情報からレンズ一体型のカメラで使用されている焦点サイズのものではないと判断でき、以上から一眼レフタイプのデジタルカメラと判断できる。
【００７６】
次に、図１４のステップＳ１４５の処理を実行して広告情報を取得して（ステップＳ２３４）、本処理を終了する。
【００７７】
図２３の処理によれば、コンテンツシェアリングモジュール６は、取得したコンテンツデータからコンテンツデータ作成手段の性能又は価格を取得し（ステップＳ２３２）、取得したコンテンツデータ作成手段の性能又は価格を使用して、コンテンツデータ管理サービスシステム１９が持つ作成手段に対応する作成手段を類推する（ステップＳ２３３）ので、閲覧されるコンテンツデータ又は閲覧が許可されたユーザの所持する製品がデータとして持っていない対象外の製品、例えば他社製品の場合でも、対応製品、例えば自社製品の対応する広告１６６を表示させることができる。
【００７８】
図２３の処理において、コンテンツシェアリングモジュール６は、広告１６６のガイダンス１６７を調整するための広告配列状態フラグを設定することによって、広告１６６のガイダンス１６７を、例えば「このアルバムに使われている写真を撮ったカメラと同性能の機種は…」に変更することができる。
【００７９】
図２４は、図１２のステップＳ１２６で実行される閲覧広告情報取得処理の手順を示すフローチャートである。
【００８０】
図２４において、コンテンツシェアリングモジュール６は、閲覧を行う閲覧コンテンツデータの配列を示す閲覧コンテンツ配列を取得し、Countに閲覧を行うコンテンツデータ数を代入し、配列を参照するIndexを０に初期化し、表示を行う広告情報の配列を示す広告情報配列を初期化し、広告１６６のガイダンス１６７を調整するための広告配列状態フラグを初期化する（ステップＳ２４１）。
【００８１】
次に、CountがIndexよりも大きいか否かを判別し（ステップＳ２４２）、CountがIndex以下のときは直ちに本処理を終了し、CountがIndexよりも大きいときは、Indexを示す閲覧コンテンツデータのコンテンツ識別ＩＤを取得し（ステップＳ２４３）、図１４のコンテンツ閲覧広告情報取得処理を実行して広告情報を取得し（ステップＳ２４４）、ステップＳ２４４で広告情報を取得できたか否かを判別し（ステップＳ２４５）、広告情報を取得できたときは、取得した広告情報が広告情報配列に保持されていないか否かを判別し（ステップＳ２４７）、保持されていないときは、広告情報配列に追加を行い（ステップＳ２４８）、Indexをインクリメントし（ステップＳ２４９）、保持されているときは、ステップＳ２４８の処理を省略してステップＳ２４９の処理を実行し、ステップＳ２４２の処理に戻る。これにより、コンテンツシェアリングモジュール６は、閲覧を行うコンテンツデータが複数の場合の広告情報と広告１６６のガイダンス１６７を調整するための広告配列状態フラグを取得することができる。
【００８２】
ステップＳ２４５の判別の結果、広告情報を取得できなかったときは、広告情報を取得できなかったコンテンツデータが閲覧対象のコンテンツデータ内にあることを広告配列状態フラグに設定し（ステップＳ２４６）、Indexをインクリメントし（ステップＳ２４９）ステップＳ２４２の処理に戻る。
【００８３】
図２４の処理において、コンテンツシェアリングモジュール６は、取得した広告情報及び広告配列状態フラグに基づき、ブラウザ２０に、閲覧を行うコンテンツデータと共に対応する複数の広告１６６を表示させ、広告１６６のガイダンス１６７を、例えば「このアルバムに使われている写真を撮ったカメラは…」から「このアルバムにある写真のいくつかを撮ったカメラは…」に変更することができる。
【００８４】
図２５は、図１２のステップＳ１２５で実行されるユーザ所持製品からの広告情報取得処理の手順を示すフローチャートである。
【００８５】
図２５において、コンテンツシェアリングモジュール６は、通知されたユーザ識別ＩＤに基づいて、ユーザ所持製品テーブル６０のユーザ所持製品配列を取得し（ステップＳ２５１）、Countにユーザ所持製品配列数を代入し、配列を参照するIndexを０に初期化し、表示を行う広告情報の配列を初期化し（ステップＳ２５２）、CountがIndexよりも大きいか否かを判別し、CountがIndex以下のときは直ちに本処理を終了し、CountがIndexよりも大きいときは、Indexの示すユーザ所持製品を取得し（ステップＳ２５４）、図１４の広告情報取得処理を実行して広告情報を取得し（ステップＳ２５５）、取得した広告情報が、広告情報配列に保持されているか否かを判別し（ステップＳ２５６）、保持されていないときは、広告情報配列に追加を行い（ステップＳ２５７）、Indexをインクリメントして（ステップＳ２５８）ステップＳ２５３の処理に戻り、保持されているときは、そのままステップＳ２５８の処理に進む。
【００８６】
図２５の処理によれば、コンテンツシェアリングモジュール６は、通知されたユーザ識別ＩＤに基づいて、ユーザ所持製品テーブル６０のユーザ所持製品配列を取得し（ステップＳ２５１）、広告情報取得処理を実行して広告情報を取得し（ステップＳ２５５）、取得した広告情報が、広告情報配列に保持されていないときは（ステップＳ２５６でＮＯ）、広告情報配列に追加を行う（ステップＳ２５７）ので、閲覧コンテンツデータから作成手段を取得できない等広告情報が取得できない場合に、ユーザＰＣ２Ａのユーザの所持する製品に関係する広告１６６を表示させることができる。
【００８７】
図２５の処理において、コンテンツシェアリングモジュール６は、広告１６６のガイダンス１６７を調整するための広告配列状態フラグを設定することによって、広告１６６のガイダンス１６７を、例えば「このアルバムの写真に関係するカメラは…」に変更することができる。
【００８８】
コンテンツシェアリングモジュール６は、また、転送されたコンテンツデータから作成手段に関する情報を取得できず、ステップＳ２５４において、ユーザの持つ製品情報が１つもないときは、コンテンツデータ管理サービスシステム１９が保持する広告情報からランダムに任意の警告を抽出することによって、ブラウザ２０に必ず広告１６６を表示させることができる。この場合、抽出する広告情報の個数を任意に調整できることは言うまでもない。
【００８９】
コンテンツシェアリングモジュール６は、さらに、転送されたコンテンツデータから作成手段に関する情報を取得できず、ステップＳ２５４において、ユーザの持つ製品情報が１つもないときは、コンテンツデータ管理サービスシステム１９が保持する広告情報から決められた広告情報を抽出することによって、ブラウザ２０に必ず広告１６６を表示させることができる。この場合、コンテンツシェアリングモジュール６は、広告１６６のガイダンス１６７を調整するための広告配列状態フラグを設定することによって、広告１６６のガイダンス１６７を、例えば「新製品カメラは…」に変更することができる。
【００９０】
抽出される広告情報は随時設定できることは言うまでもない。
【００９１】
図２６は、図７の処理によって転送されたコンテンツデータの設定を行うコンテンツ設定画面を説明するのに用いられる図である。
【００９２】
図２６において、コンテンツ設定画面２６０は、タイトルやコメント等コンテンツに関する設定を行うことができる領域２６１と、公開するコンテンツデータに関する広告を閲覧者に表示してよいか否かの設定を示す２６２と、コンテンツに関する設定をする設定ボタン２６３と、コンテンツデータに関する設定を中止する中止ボタン２６４とから成る。
【００９３】
コンテンツシェアリングモジュール６は、ユーザＰＣ２Ａのユーザが設定ボタンを押下すると、入力情報を確認した後、コンテンツデータに関する設定情報を情報データベース９に格納し、設定２６２が設定されているときは、コンテンツ識別ＩＤ２７１と広告作成許可フラグ２７１とから成る広告作成許可管理テーブル（図２７）に値を設定して情報データベース９に格納する。
【００９４】
また、転送されたコンテンツデータがアルバムごとに管理されているときは、アルバム識別ＩＤ２８１と、広告作成許可フラグＩＤ２８２とから成る広告作成許可管理テーブル（図２８）に値を設定して情報データベース９に格納する。
【００９５】
図２９は、図１２のステップＳ１２９の広告情報表示制御処理の手順を示すフローチャートである。
【００９６】
図２９において、コンテンツシェアリングモジュール６は、コンテンツデータを直接管理するときは、コンテンツ識別ＩＤ２７１と広告作成許可フラグ２７２とから成る広告作成許可管理テーブル（図２７）から、閲覧を行うコンテンツデータの広告作成許可フラグを取得すると共に、広告情報取得を行うか否かを判別し、また、アルバムのような複数のコンテンツデータをまとめて管理するときは、アルバム識別ＩＤ２８１と広告作成許可フラグＩＤ２８２とから成る広告作成許可管理テーブル（図２８）から、閲覧を行うコンテンツの広告作成許可フラグを取得すると共に、取得した広告作成許可フラグに基づいて広告情報取得を行うか否かを判別する（ステップＳ２９１）。
【００９７】
ステップＳ２９１の判別の結果、広告情報取得を行うときは、図１５の広告情報取得処理を実行して広告情報を取得して（ステップＳ２９２）、本処理を終了し、広告情報取得を行わないときは、ユーザ情報と無関係な広告情報を取得し（ステップＳ２９３）本処理を終了する。
【００９８】
図２９の処理によれば、コンテンツシェアリングモジュール６は、取得した広告作成許可フラグに基づいて広告情報取得を行うか否かを判別し（ステップＳ２９１）、広告情報取得を行わないときは、ユーザ情報と無関係な広告情報を取得する（ステップＳ２９３）ので、登録を行ったユーザのユーザ情報の保護を行うことができる。
【００９９】
また、広告情報テーブルの広告ＵＲＬ１５４を、取得した作成手段に対応する製品を購入することができる商品販売用ＵＲＬにすることによって、ブラウザ２０に広告１６６を表示させるだけではなく、商品販売用のサイトを表示させることができ、もって、容易に閲覧ユーザを商品購入に導くことができる。
【０１００】
本実施の形態では、静止画又は動画を扱うフォトサイトサービスを例としたが、静止画だけでなく動画が使用されていても問題ないことは言うまでもない。
【０１０１】
なお、本実施形態では、デジタルカメラなどの画像入力装置を作成手段とし、コンテンツデータを画像データとしてユーザ端末の表示器で表示再生される場合について説明したが、本発明はこれに限らず、音声レコーダーなどの音声入力装置を作成手段とし、コンテンツデータを楽曲データとしてユーザ端末のスピーカーなどの音声出力器から音声再生される場合についても、楽曲と楽曲の間に広告音声を挿入するなどして同様に適用できる。
【０１０２】
最後に、本実施形態のコンテンツサイト１０やプリントサイト１３のサーバ装置やユーザ端末を構成するコンピュータ装置の構成について、図３１のブロック図を参照して説明する。サーバ装置やクライアント装置はそれぞれ単一のコンピュータ装置で実現してもよいし、必要に応じた複数のコンピュータ装置に各機能を分散して実現するようにしてもよい。複数のコンピュータ装置で構成される場合は、互いに通信可能なようにLocal Area Network（ＬＡＮ）などで接続されている。
【０１０３】
図３１において、３１０１はコンピュータ装置３１００全体を制御するCentral Processing Unit（ＣＰＵ）である。３１０２は変更を必要としないプログラムやパラメータを格納するRead Only Memory（ＲＯＭ）である。３１０３は外部装置などから供給されるプログラムやデータを一時記憶するRandom Access Memory（ＲＡＭ）である。３１０４はコンピュータ装置３１００に固定して設置されたハードディスクやメモリカード、あるいはコンピュータ装置３１００から着脱可能なフロッピー（登録商標）ディスク（ＦＤ）やCompact Disk（ＣＤ）等の光ディスク、磁気や光カード、ＩＣカード、メモリカードなどを含む外部記憶装置である。３１０５はユーザの操作を受け、データを入力するポインティングデバイスやキーボード３１０９などの入力デバイスとのインターフェースである。３１０６はコンピュータ装置３１００の保持するデータや供給されたデータを表示するためのモニタ３１１０とのインターフェースである。３１０７はインターネット１０３などのネットワーク回線に接続するためのネットワークインタフェイスである。３１０８は３１０１〜３１０７の各ユニットを通信可能に接続するシステムバスである。
【０１０４】
（他の実施形態）
本発明の目的は前述した実施例の機能を実現するソフトウェアのプログラムコードを記録した記録媒体を、システムあるいは装置に供給し、そのシステムあるいは装置のコンピュータ（またはＣＰＵまたはＭＰＵ）が記録媒体に格納されたプログラムコードを読み出し実行することによっても、達成されることは言うまでもない。この場合、記憶媒体から読み出されたプログラムコード自体が前述した実施形態の機能を実現することとなり、そのプログラムコードを記憶した記憶媒体は本発明を構成することになる。
【０１０５】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【０１０６】
また、コンピュータが読み出したプログラムコードを実行することにより、前述した実施例の機能が実現されるだけでなく、そのプログラムコードの指示に基づき、コンピュータ上で稼動しているＯＳ（オペレーションシステム）などが実際の処理の一部または全部を行い、その処理によって前述した実施例の機能が実現される場合も含まれることは言うまでもない。
【０１０７】
さらに、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１０８】
【図１】本発明の実施の形態に係るコンテンツデータ管理サービスシステムの構成を概略的に示すブロック図である。
【図２】図１におけるユーザＰＣのブラウザを説明するのに用いられる図である。
【図３】図２のブラウザから入力されるユーザ情報を格納するユーザテーブルを説明するのに用いられる図である。
【図４】図２のブラウザから入力されるユーザ情報を格納するユーザ所持製品テーブルを説明するのに用いられる図である。
【図５】図１におけるコンテンツシェアリングモジュールによって実行されるコンテンツデータ転送処理の手順を示すフローチャートである。
【図６】図５のステップＳ５４において使用されるユーザコンテンツ管理テーブルを説明するのに用いられる図である。
【図７】図５のステップＳ５４において使用されるユーザアルバム管理テーブルを説明するのに用いられる図である。
【図８】図５のステップＳ５４において使用されるユーザアルバム管理テーブルを説明するのに用いられる図である。
【図９】図５のステップＳ５３で実行されるコンテンツ作成手段取得処理の手順を示すフローチャートである。
【図１０】図９のステップＳ９３において使用される作成手段テーブルの説明をするのに用いられる図である。
【図１１】図１におけるコンテンツシェアリングモジュールによって実行される閲覧許可通知処理の手順を示すフローチャートである。
【図１２】図１におけるユーザＰＣによって実行されるコンテンツファイルの閲覧処理の手順を示すフローチャートである。
【図１３】図１２のステップＳ１２２で実行されるコンテンツ閲覧広告情報取得処理の手順を示すフローチャートである。
【図１４】図１３のステップＳ１３３で実行される広告情報取得処理の手順を示すフローチャートである。
【図１５】図１４におけるステップＳ１４５において使用される広告情報テーブルを説明するのに用いられる図である。
【図１６】図１４の広告情報取得処理によって取得された広告情報の表示例を説明するのに用いられる図である。
【図１７】図１４のステップＳ１４１で実行される対象作成手段取得処理の手順を示すフローチャートである。
【図１８】図１７のステップＳ１７２において使用される対象外作成手段定義テーブルを説明するのに用いられる図である。
【図１９】図１４のステップＳ１４２で実行される国内作成手段取得処理の手順を示すフローチャートである。
【図２０】図１９のステップＳ１９２において使用される海外作成手段定義テーブルを説明するのに用いられる図である。
【図２１】図１４のステップＳ１４３の新作成手段取得処理の手順を示すフローチャートである。
【図２２】図２１のステップＳ２１２において使用される新旧作成手段定義テーブルを説明するのに用いられる図である。
【図２３】図１４のステップＳ１４６の類推対応広告情報取得処理の手順を示すフローチャートである。
【図２４】図１２のステップＳ１２６で実行される閲覧広告情報取得処理の手順を示すフローチャートである。
【図２５】図１２のステップＳ１２５で実行されるユーザ所持製品からの広告情報取得処理の手順を示すフローチャートである。
【図２６】図７の処理によって転送されたコンテンツデータの設定を行うコンテンツ設定画面を説明するのに用いられる図である。
【図２７】図２６の設定画面によってコンテンツデータの設定をおこなうときに用いられる広告作成許可管理テーブルを説明するのに用いられる図である。
【図２８】図２６の設定画面によってコンテンツデータの設定をおこなうときに用いられる広告作成許可管理テーブルを説明するのに用いられる図である。
【図２９】図１２のステップＳ１２９の広告情報表示判別処理の手順を示すフローチャートである。
【図３０】コンテンツデータ管理サービスシステムのユーザＰＣにおけるブラウザを説明するのに用いられる図である。
【図３１】コンピュータ装置の構成の一例を示す図である。
【符号の説明】
【０１０９】
１  インターネット
２Ａ，２Ｂ  ユーザＰＣ
３  コンテンツ入力装置
５  コンテンツデータベース
６  コンテンツシェアリングモジュール
９  情報データベース
１０  コンテンツサイト
１９  コンテンツデータ管理サービスシステム
【図１】
2006091525.tif 000003
【図２】
2006091525.tif 000004
【図３】
2006091525.tif 000005
【図４】
2006091525.tif 000006
【図５】
2006091525.tif 000007
【図６】
2006091525.tif 000008
【図７】
2006091525.tif 000009
【図８】
2006091525.tif 000010
【図９】
2006091525.tif 000011
【図１０】
2006091525.tif 000012
【図１１】
2006091525.tif 000013
【図１２】
2006091525.tif 000014
【図１３】
2006091525.tif 000015
【図１４】
2006091525.tif 000016
【図１５】
2006091525.tif 000017
【図１６】
2006091525.tif 000018
【図１７】
2006091525.tif 000019
【図１８】
2006091525.tif 000020
【図１９】
2006091525.tif 000021
【図２０】
2006091525.tif 000022
【図２１】
2006091525.tif 000023
【図２２】
2006091525.tif 000024
【図２３】
2006091525.tif 000025
【図２４】
2006091525.tif 000026
【図２５】
2006091525.tif 000027
【図２６】
2006091525.tif 000028
【図２７】
2006091525.tif 000029
【図２８】
2006091525.tif 000030
【図２９】
2006091525.tif 000031
【図３０】
2006091525.tif 000032
【図３１】
2006091525.tif 000033